【事件の表示】
　特願２０１６−５０５７０５「流動化装置」拒絶査定不服審判事件〔平成２７年　８月１３日国際公開、ＷＯ２０１５／１１７５７７、平成２８年　７月　７日国内公表、特表２０１６−５１９７４９〕について、次のとおり審決する。
【結　論】
　本件審判の請求は、成り立たない。
【理　由】
第１　手続の経緯
　本願は、２０１４年（平成２６年）年４月３日（パリ条約による優先権主張外国庁受理２０１３年４月３日、ドイツ連邦共和国）を国際出願日とする出願であって、その後の手続の概要は、以下のとおりである。
　　平成２９年１０月２７日付けで拒絶理由の通知（平成２９年１１月１日発送）
　　平成３０年１月２４日に意見書及び手続補正書の提出
　　平成３０年６月２６日付けで拒絶理由の通知（平成３０年７月４日発送）
　　平成３０年１０月３１日に意見書及び手続補正書の提出
　　平成３１年１月３１日付けで拒絶査定（平成３１年２月６日発送）
　　令和元年５月３０日に拒絶査定不服審判の請求及び手続補正書の提出
　　令和２年６月１１日付けで拒絶理由の通知（令和２年６月１７日発送）
　　令和２年８月２８日に意見書及び手続補正書の提出
第２　本願発明
　本願の請求項１ないし８に係る発明は、令和２年８月２８日に提出された手続補正書により補正された特許請求の範囲の請求項１ないし８に記載された事項により特定されるとおりのものであるところ、その請求項１に係る発明（以下「本願発明」という。）は以下のとおりのものである。
「【請求項１】
ガス状乾燥媒体を分配室（２）に供給するための一つの導管（４）が付設された分配室（２）、分配室（２）の上方に配置された渦流室（３）、固体粒子入口ユニット（６）ならびに固体粒子出口ユニット（７）、受流底面（１１）及び受流底面（１１）の下方に配置された空気分配板（１８）を有し、渦流室（３）内に星型回転式乾燥機（８）が回転可能に配置され、この星型回転式乾燥機に隔壁（１０）が配置され、これら隔壁が、過流室（３）を分割するために受流底面（１１）と共に処理室（１２）を仕切り、星型回転式乾燥機（８）の周囲に、固体粒子入口ユニット（６）から固体粒子出口ユニット（７）までの固体粒子用の搬送路が形成されている、固体粒子を処理するための流動化装置（１）において、
分配室（２）が分割化されていないこと、及び、空気分配板（１８）は、異なる直径を備えている開口部（２２）を有し、開口部（２２）の直径は、搬送路に沿った固体粒子入口ユニット（６）からの移動距離の増大と共に変化することを特徴とする流動化装置（１）。」
第３　令和２年６月１１日付けで通知した拒絶の理由
　当審において、令和２年６月１１日付けで通知した拒絶の理由における理由２は、概ね以下のとおりである。
　＜理由２（進歩性）＞
　本願の請求項１〜２に係る発明は、本願の出願前に日本国内又は外国において、頒布された又は電気通信回線を通じて公衆に利用可能となった以下の引用例１〜２に記載された発明に基いて、以下同様に、請求項３〜８に係る発明は引用例１〜３に記載された発明に基いて、請求項９〜１０に係る発明は引用例１〜４に記載された発明に基いて、請求項１１に係る発明は引用例１〜５に記載された発明に基いて、その出願前にその発明の属する技術の分野における通常の知識を有する者（以下「当業者」という。）が容易に発明をすることができたものであるから、特許法第２９条第２項の規定により特許を受けることができない。
　引用例１．特開平８−２９０５７号公報
　引用例２．特開平７−２６５６８３号公報
　引用例３．特公昭５０−３３１５０号公報
　引用例４．特開平３−２８４３４３号公報
　引用例５．英国特許出願公告第１０５９０７７号明細書
第４　引用例
　１　引用例１
　（１）引用例１に記載された事項
　引用例１には、次の事項が記載されている（下線は、参考のため当審で付与したものである。以下、同様。）。
「【０００１】
【産業上の利用分野】本発明は、
製粒中の湿った粒状の練合物等を乾燥させるための流動乾燥装置
「【００１２】
【実施例】本発明の槽移動式流動乾燥装置を、その好適な一実施例の構成を示す斜視図である図１を参照しつつ説明する。図１において、
槽移動式流動乾燥装置１００は、略円筒状の筐体１０１と、筐体１０１の内部を垂直方向に下部の送風チャンバー１１０及び上部の流動層チャンバー１２０の２つに分割するフィルター１０２と、流動層チャンバー１２０の内部の中心に設けられた垂直軸１２１と、垂直軸１２１を中心としてその周囲に配列された複数の移動槽１２２と、送風チャンバー１１０を水平方向に複数に分割する第１の仕切板１１１と、第１の仕切板１１１により仕切られた各部分に所定の温風を供給するための送風管１１２と、流動層チャンバー１２０内の第１の所定位置Ｘに設けられ、移動槽１２２に所定量の被乾燥物を供給するための被乾燥物供給シュート１２３と、流動層チャンバー１２０内の第２の所定位置Ｙに設けられ、移動槽１２２から乾燥された被乾燥物を排出するための吸引ノズル１２４と、筐体１０１の天井部に設けられた排気口１２５とを具備している
【００１３】
移動槽１２２は、垂直軸１２１を中心とする円筒状容器を、垂直軸１２１から放射状に等角度で設けられた複数の第２の仕切板（隔板）１２６で仕切ったものであり
移動槽１２２の数は４〜２０であることが好ましく、この実施例では例えば１２に仕切られている。送風チャンバー１１と流動層チャンバー１２０との間にフィルター１０２を設けているが、円筒状容器の底面を直接フィルターとし、フィルター１０２を省略してもよい。
【００１４】
送風チャンバー１１０は、第１の仕切板１１１により３以上（この実施例では４つ）の部分（以下、分割部分）に分割されている。各分割部分の内、第１の所定位置Ｘに対応する分割部分１１３には送風管１１２が設けられておらず、温風は供給されない
分割部分１１３の第２の所定位置Ｙとは反対側に隣接する分割部分１１４には送風管１１２が設けられており、この部分の風量が最も多くなるように、風量調節装置（図示せず）により風量調節されている。また、各分割された部分は、第２の所定位置Ｙに対応する分割部分１１６の風量が最も少なくなるように、順次各分割部分１１５、１１６の風量が少くなるように調節されている。この実施例では、分割部分１１３は第１の所定位置Ｘに停止している１つの移動槽１２２にのみ対応し、他の分割部分１１４、１１５、１１６はそれぞれ３個、４個、４個の移動槽１２２に対応する
【００１５】移動槽１２２を間欠駆動する機構としては、移動槽１２２の底部にラチェット機構を設け、例えばエアーシリンダーのピストンの伸縮により、ラチェット機構の爪を１つずつ送る構成が考えられる。また、金属部材の摩耗防止等を考慮して、移動槽１２２を駆動する際、垂直軸１２１及び各移動槽１２２全体を持ち上げ、その状態で所定角度回転させるように構成してもよい。
【００１６】以上のように構成された槽移動式流動乾燥装置１００において、各移動槽１２２はそれぞれ略同じ大きさであり、
各移動槽１２２の側壁（第２の仕切板）１２６の高さは、例えば粒状の練合物等の被乾燥物１がそれを乗り越えて隣の移動槽１２２に移動しないように設定されている
流動層チャンバー１２０内の第１の所定位置Ｘおいて、被乾燥物供給シュート１２３により移動槽１２２に所定量の被乾燥物１が供給され、被乾燥物１を収納した移動槽１２２は流動層チャンバー１２０内において間欠的に循環駆動され、一定の時間をかけて流動層チャンバー１２０内を一周する。そして、流動層チャンバー１２０内の第２の所定位置Ｙにおいて、吸引ノズル１２４により移動槽１２２から乾燥された被乾燥物１が排出される
下部の送風チャンバー１１０に導入された温風は、フィルター１０２を通って上部の流動層チャンバー１２０に流入し、各移動槽１２２の内部で被乾燥物１を巻き上げ、流動させる。この時、被乾燥物１は温風により乾燥される。送風チャンバー１１０は水平方向に複数の分割部分１１３、１１４、１１５、１１６に分割され、風量調節装置（図示せず）により分割部分１１４、１１５、１１６の風量が順に少なくなるように調節されているため、乾燥が進み被乾燥物１の重量が軽くなっても、被乾燥物１が移動槽１２２の側壁１２６を乗り越えて隣の移動槽１２２に移動することはない
「【００２３】また、送風チャンバーを３以上の部分に分割し、各分割された部分の内、第１の所定位置に対応する部分には温風を供給しないことにより、第１の所定位置で被乾燥物の逆流を防止することができる。また、
第１の所定位置に対応する部分の第２の所定位置とは反対側に隣接する部分の風量を最も多くすることにより、最も水分が高く重量が重い被乾燥物の流動性が増大し、効率よく乾燥させることができる
第２の所定位置に対応する部分は吸引により排出されるため、風量が最も少なくなるように、順次各分割された部分の風量を少くすることにより、乾燥が進み被乾燥物の重量が徐々に軽くなることに対応して、被乾燥物が移動槽の側壁を乗り越えることがなく
分割された部分の内、第１の所定位置に対応する部分を第１の所定位置に停止している１つの移動槽にのみ対応させ、他の分割された部分をそれぞれ２以上の移動槽に対応させることにより、風量調節手段の数を少なくすることができ、装置の構造を簡単にすることができる
「【図１】
 
」
「【図２】
」
　上記【００１３】の「送風チャンバー１１と流動層チャンバー１２０との間にフィルター１０２を設けているが、円筒状容器の底面を直接フィルターとし、フィルター１０２を省略してもよい。」との記載から、円筒状容器の底面の下方にフィルター１０２が設けられていて、さらに【図１】及び【図２】から、フィルター１０２が薄く平たい形状であることは明らかである。
　（２）引用例１に記載された発明
　上記（１）の各記載事項を総合すると、引用例１には、以下の発明（以下「引用発明」という。）が記載されていると認められる。
「所定の温風を供給するための送風管１１２が設けられた送風チャンバー１１０、略円筒状の筐体１０１、筐体１０１の内部を垂直方向に下部の送風チャンバー１１０及び上部の流動層チャンバー１２０の２つに分割するフィルター１０２、被乾燥物供給シュート１２３、吸引ノズル１２４並びに円筒状容器の底面、から成り、
　フィルター１０２は、円筒状容器の底面の下方に設けられており、薄く平たい形状であり、
　流動層チャンバー１２０が垂直軸１２１を中心とする円筒状容器を垂直軸１２１から放射状に等角度で設けられた複数の第２の仕切板１２６で１２に仕切った移動槽１２２を備え、
　流動層チャンバー１２０内の第１の所定位置Ｘおいて、被乾燥物供給シュート１２３により移動槽１２２に所定量の被乾燥物１が供給され、被乾燥物１を収納した移動槽１２２は一定の時間をかけて流動層チャンバー１２０内を一周し、流動層チャンバー１２０内の第２の所定位置Ｙにおいて吸引ノズル１２４により移動槽１２２から乾燥された被乾燥物１が排出され、
　下部の送風チャンバー１１０に導入された温風は、フィルター１０２を通って上部の流動層チャンバー１２０に流入し、各移動槽１２２の内部で被乾燥物１を巻き上げ、流動させ、この時、被乾燥物１は温風により乾燥される、
　製粒中の湿った粒状の練合物等を乾燥させるための槽移動式流動乾燥装置１００において、
　送風チャンバー１１０が第１の仕切板１１１により４つの部分に分割され、各分割部分の内、被乾燥物供給シュート１２３が設けられた第１の所定位置Ｘに対応する分割部分１１３には送風管１１２が設けられておらず、温風は供給されず、吸引ノズル１２４が設けられた第２の所定位置Ｙとは反対側に隣接する分割部分１１４には送風管１１２が設けられており、この部分の風量が最も多くなるように、風量調節装置により風量調節されて、各分割された部分は、第２の所定位置Ｙに対応する分割部分１１６の風量が最も少なくなるように、順次各分割部分１１５、１１６の風量が少なくなるように調節されていて、
　分割部分１１３は第１の所定位置Ｘに停止している１つの移動槽１２２にのみ対応し、他の分割部分１１４、１１５、１１６はそれぞれ３個、４個、４個の移動槽１２２に対応する、
　槽移動式流動乾燥装置１００。」
　２　引用例２
　（１）引用例２に記載された事項
　引用例２には、次の事項が記載されている。
「【０００１】
【産業上の利用分野】
本発明は、粉粒体の造粒、コーティング、乾燥などに用いられる流動層装置の技術に関する
「【００３５】（実施例２）図３は本発明の他の実施例である流動層装置を示す断面図、図４はその流動層装置に用いられた目皿板を示す平面図である。
【００３６】本実施例に示す流動層装置は回分式の流動室１の底部に設けられた落下防止ネット４および目皿板２５が、流入部側を高く対向部側が低くなるように傾斜して設けられ、また、
図４に示すように、この目皿板２５が、気体供給室８の流入口８ａが位置する流入部側から対向部側に向かって３つの区域Ｄ，Ｅ，Ｆに円弧状に区画され、流入部側の区域Ｄから区域Ｅ，Ｆと行くにしたがって通気孔２５ａの穿孔密度が大きく設定されて開口率が相違されている
【００３７】すなわち、落下防止ネット４および目皿板２５をこのように傾斜して設けた場合は、落下防止ネット４の高い位置から低い位置に向かうにしたがって堆積する粉粒体の層が厚くなるために、
流入口側が最も通気抵抗が小さくなることに着目して目皿板５の開口率をこのように異ならせている
【００３８】なお、それ以外においては前記実施例１の流動層装置と同様であり、したがって、同一の部材には同一の符合が付されている。
【００３９】本実施例に示す流動層装置によれば、
粉粒体が流動用気体による上昇と自重による落下とを繰り返して流動層が形成される
目皿板２５の開口率は流入部側の区域Ｄから区域Ｅ、そして対向部側の区域Ｆに向かって大きく設定されているので、やはり均一な流動状態の流動層を得ることができる
「【００４１】たとえば、
目皿板５，２５の開口率は、本実施例に示すように通気孔５ａ，２５ａの穿孔密度を違えることの他にも、孔径を違えることや、穿孔に替えてスリットなどを用いてもよい。
「【００４３】
目皿弁の開口率は、このように複数の区域に区画して互いに異ならせることの他にも、流入部側から対向部側に向かって漸次変化させることも可能である
図７に示す目皿板５５のように一方端から他方端に向かって通気孔５５ａの孔径を次第に変化させるように設定することや、図８に示す目皿板６５ように異なる開口率のゾーンの境目をぼかすような孔径の通気孔６５ａを設けることができる。
「【図３】
」
「【図４】
」
「【図７】
」
「【図８】
」
　そして、上記【図３】に示された事項から、気体供給室８が分割化されていないことは、明らかである。
　（２）引用例２に記載された技術
　上記（１）の各記載事項を総合すると、引用例２には、以下の発明（以下「引用例２技術」という。）が記載されていると認められる。
「粉粒体が流動用気体による上昇と自重による落下とを繰り返して流動層が形成され、粉粒体の乾燥に用いられる流動層装置の技術であって、
　目皿板が、分割化されていない気体供給室８の流入口８ａが位置する流入部側から対向部側に向かって３つの区域Ｄ，Ｅ，Ｆに円弧状に区画され、最も通気抵抗が小さくなる流入部側の区域Ｄから区域Ｅ，Ｆと行くにしたがって通気孔の孔径が大きく設定されて開口率が相違されていて、
　均一な流動状態の流動層を得ることができる、流動層装置の技術。」
第５　対比・判断
　１　引用発明と本願発明との対比
　（ア）引用発明の「所定の温風」は、「下部の送風チャンバー１１０に導入された温風」であって、「フィルター１０２を通って上部の流動層チャンバー１２０に流入し、各移動槽１２２の内部で被乾燥物１を巻き上げ、流動させ、この時、被乾燥物１は温風により乾燥される」ものであるから、本願発明の「ガス状乾燥媒体」に相当する。
　引用発明は、「下部の送風チャンバー１１０に導入された温風は、フィルター１０２を通って上部の流動層チャンバー１２０に流入し、各移動槽１２２の内部で被乾燥物１を巻き上げ、流動させ」、「送風チャンバー１１０が第１の仕切板１１１により４つの部分に分割され」、「分割部分１１４には送風管１１２が設けられており、この部分の風量が最も多くなるように、風量調節装置により風量調節されて、各分割された部分は、第２の所定位置Ｙに対応する分割部分１１６の風量が最も少なくなるように、順次各分割部分１１５、１１６の風量が少なくなるように調節されていて」、「他の分割部分１１４、１１５、１１６はそれぞれ３個、４個、４個の移動槽１２２に対応」していて、分割部分１１４，１１５、１１６がそれぞれ温風を移動層に分配するものである。そうすると、各分割部分を備える、引用発明の「送風チャンバー１１０」は、温風を移動槽に分配するといえ、本願発明の「分配室（２）」に相当する。
　上記の相当関係を踏まえると、引用発明の「所定の温風を供給するための送風管１１２」は、本願発明の「ガス状乾燥媒体を分配室（２）に供給するための」「導管（４）」に相当し、「送風管１１２が設けられた送風チャンバー１１０」は、本願発明の「導管（４）が付設された分配室（２）」に相当する。
　（イ）引用発明は、「略円筒状の筐体１０１、筐体１０１の内部を垂直方向に下部の送風チャンバー１１０及び上部の流動層チャンバー１２０の２つに分割するフィルター１０２」を備えているから、引用発明において、「流動層チャンバー１２０」が「送風チャンバー１１０」の上方に配置されていることは明らかである。また、引用発明は「流動層チャンバー１２０が垂直軸１２１を中心とする円筒状容器を垂直軸１２１から放射状に等角度で設けられた複数の第２の仕切板１２６で１２に仕切った移動槽１２２を備え」、「移動槽１２２は一定の時間をかけて流動層チャンバー１２０内を一周」し、「下部の送風チャンバー１１０に導入された温風は、フィルター１０２を通って上部の流動層チャンバー１２０に流入し、各移動槽１２２の内部で被乾燥物１を巻き上げ、流動させ」るから、引用発明の「流動層チャンバー１２０」は、渦流室であるといえる。
　そうすると、引用発明の「流動層チャンバー１２０」は、本願発明の「分配室（２）の上方に配置された渦流室（３）」に相当する。
　（ウ）引用発明において、「被乾燥物」が「製粒中の湿った粒状の練合物等」であることは明らかであるから、引用発明の「被乾燥物」は固体粒子であるといえる。また、引用発明は「被乾燥物供給シュート１２３により移動槽１２２に所定量の被乾燥物１が供給され」るから、引用発明の「被乾燥物供給シュート１２３」は、槽移動式流動乾燥装置１００において被乾燥物の入口を構成する要素をなし、被乾燥物の入口ユニットであるといえる。そうすると、引用発明の「被乾燥物供給シュート１２３」は、本願発明の「固体粒子入口ユニット（６）」に相当する。
　また、引用発明は「吸引ノズル１２４により移動槽１２２から乾燥された被乾燥物１が排出され」るから、引用発明の「吸引ノズル１２４」は、被乾燥物の出口を構成する要素をなし、被乾燥物の出口ユニットであるといえる。そうすると、引用発明の「吸引ノズル１２４」は、本願発明の「固体粒子出口ユニット（７）」に相当する。
　（エ）引用発明は「流動層チャンバー１２０が」「円筒状容器を」「仕切った移動槽１２２を備え」、「下部の送風チャンバー１１０に導入された温風は、フィルター１０２を通って上部の流動層チャンバー１２０に流入」するものであるから、引用発明の「円筒状容器の底面」は、温風を受ける受流面であるといえる。そうすると、引用発明の「円筒状容器の底面」は、本願発明の「受流底面（１１）」に相当する。
　また、引用発明は「下部の送風チャンバー１１０に導入された温風は、フィルター１０２を通って上部の流動層チャンバー１２０に流入」するものであり、上記（ア）の「送風チャンバー１１０」と「分配室（２）」との相当関係を踏まえると、引用発明の「フィルター１０２」は、温風を分配するものであるといえる。さらに、フィルター１０２は「薄く平たい形状」であるから、板であるといえる。そうすると、引用発明の「フィルター１０２」は、本願発明の「空気分配板（１８）」に相当する。
　したがって、引用発明の「フィルター１０２は、円筒状容器の底面の下方に設けられており」という事項は、本願発明の「受流底面（１１）の下方に配置された空気分配板（１８）を有し、」という事項に相当する。
　（オ）引用発明の「流動層チャンバー１２０が垂直軸１２１を中心とする円筒状容器を垂直軸１２１から放射状に等角度で設けられた複数の第２の仕切板１２６で１２に仕切った移動槽１２２を備え、」から、「円筒状容器」が、中心の垂直軸１２１から放射状に等角度で設けられた複数の第２の仕切板１２６で仕切られた構造であることは明らかであり、当該構造から、引用発明の「円筒状容器」は星型であるといえる。また、引用発明は「各移動槽１２２の内部で被乾燥物１を巻き上げ、流動させ、この時、被乾燥物１は温風により乾燥される」ものであるから、各移動槽１２２の全体を示す「円筒状容器」は、乾燥機であるといえる。さらに、引用発明において「移動槽１２２は一定の時間をかけて流動層チャンバー１２０内を一周」するから、各移動槽１２２の全体を示す「円筒状容器」は、回転式であり、流動層チャンバー１２０内に配置されているといえる。上記（イ）の「流動層チャンバー１２０」と「渦流室（３）」との相当関係も踏まえると、引用発明の「円筒状容器」は、本願発明の「星型回転式乾燥機（８）」に相当し、引用発明は、本願発明の「渦流室（３）内に星型回転式乾燥機（８）が回転可能に配置され」という事項に相当するものを備える。
　（カ）引用発明の「流動層チャンバー１２０が垂直軸１２１を中心とする円筒状容器を垂直軸１２１から放射状に等角度で設けられた複数の第２の仕切板１２６で１２に仕切った移動槽１２２を備え、」という事項について、上記（イ）の「流動層チャンバー１２０」と「渦流室（３）」との相当関係、（オ）の「円筒状容器」と「星型回転式乾燥機（８）」との相当関係、（エ）の「円筒状容器の底面」と「受流底面（１１）」との相当関係を踏まえると、引用発明の「第２の仕切板１２６」及び「移動槽１２２」は、本願発明の「隔壁（１０）」及び「処理室（１２）」にそれぞれ相当する。そして、引用発明は、「流動層チャンバー１２０が垂直軸１２１を中心とする円筒状容器を垂直軸１２１から放射状に等角度で設けられた複数の第２の仕切板１２６で１２に仕切った移動槽１２２を備え」るものであるから、本願発明の「この星型回転式乾燥機に隔壁（１０）が配置され、これら隔壁が、過流室（３）を分割するために受流底面（１１）と共に処理室（１２）を仕切り」という事項に相当するものを備える。
　（キ）引用発明の「製粒中の湿った粒状の練合物等を乾燥させるための槽移動式流動乾燥装置１００」は、本願発明の「固体粒子を処理するための流動化装置（１）」に相当する。
　したがって、本願発明と引用発明とは、
「ガス状乾燥媒体を分配室（２）に供給するための導管（４）が付設された分配室（２）、分配室（２）の上方に配置された渦流室（３）、固体粒子入口ユニット（６）ならびに固体粒子出口ユニット（７）、受流底面（１１）及び受流底面（１１）の下方に配置された空気分配板（１８）を有し、渦流室（３）内に星型回転式乾燥機（８）が回転可能に配置され、この星型回転式乾燥機に隔壁（１０）が配置され、これら隔壁が、過流室（３）を分割するために受流底面（１１）と共に処理室（１２）を仕切り、固体粒子を処理するための流動化装置（１）。」
　の点で一致し、以下の点で相違している。
［相違点１］
　本願発明は、「星型回転式乾燥機（８）の周囲に、固体粒子入口ユニット（６）から固体粒子出口ユニット（７）までの固体粒子用の搬送路が形成されている、」のに対して、引用発明は、そのような構成を備えるか不明な点。
［相違点２］
　分配室及び空気分配板について、本願発明においては、「一つの導管（４）が付設された分配室（２）」であり、「分配室（２）が分割化されていない」及び「空気分配板（１８）は、異なる直径を備えている開口部（２２）を有し、開口部（２２）の直径は、搬送路に沿った固体粒子入口ユニット（６）からの移動距離の増大と共に変化する」態様としているのに対して、引用発明は、「送風チャンバー１１０が第１の仕切板１１１により４つの部分に分割され、各分割部分の内、被乾燥物供給シュート１２３が設けられた第１の所定位置Ｘに対応する分割部分１１３には送風管１１２が設けられておらず、温風は供給されず、吸引ノズル１２４が設けられた第２の所定位置Ｙとは反対側に隣接する分割部分１１４には送風管１１２が設けられており、この部分の風量が最も多くなるように、風量調節装置により風量調節されて、各分割された部分は、第２の所定位置Ｙに対応する分割部分１１６の風量が最も少なくなるように、順次各分割部分１１５、１１６の風量が少なくなるように調節されている」態様としている点。
　２　相違点に関する判断
　（１）相違点１について
　引用発明の「流動層チャンバー１２０が垂直軸１２１を中心とする円筒状容器を垂直軸１２１から放射状に等角度で設けられた複数の第２の仕切板１２６で仕切った移動槽１２２を備え、流動層チャンバー１２０内の第１の所定位置Ｘおいて、被乾燥物供給シュート１２３により移動槽１２２に所定量の被乾燥物１が供給され、被乾燥物１を収納した移動槽１２２は一定の時間をかけて流動層チャンバー１２０内を一周し、流動層チャンバー１２０内の第２の所定位置Ｙにおいて吸引ノズル１２４により移動槽１２２から乾燥された被乾燥物１が排出される」という点から、引用発明は「円筒状容器の周囲に、被乾燥物供給シュート１２３から吸引ノズル１２４までの被乾燥物用の搬送路が形成されている」ものであることが明らかである。 
　そうすると、上記「１　引用発明と本願発明との対比」で示した相当関係も踏まえると、引用発明は、本願発明の「星型回転式乾燥機（８）の周囲に、固体粒子入口ユニット（６）から固体粒子出口ユニット（７）までの固体粒子用の搬送路が形成されている」という事項に相当する構成を有する。
　したがって、相違点１は、実質的な相違点ではない。
　なお、引用発明において、「円筒状容器の
周囲に
　（２）相違点２について
　引用例１に記載された「風量調節装置（図示せず）により分割部分１１４、１１５、１１６の風量が順に少なくなるように調節されているため、乾燥が進み被乾燥物１の重量が軽くなっても、被乾燥物１が移動槽１２２の側壁１２６を乗り越えて隣の移動槽１２２に移動することはない。」（【００１６】）という事項を踏まえると、引用発明は、被乾燥物１の重量が重い（すなわち、通気抵抗が大きい）部分から、被乾燥物１の重量が軽い（通気抵抗が小さい）部分にかけて、風量が順に少なくなるように調整されているといえる。そして、引用発明は、「被乾燥物１が供給され、被乾燥物１を収納した移動槽１２２は一定の時間をかけて流動層チャンバー１２０内を一周」するもので、上記「（１）相違点１について」の判断を踏まえると、被乾燥物１の搬送路に沿って、被乾燥物１の重量が乾燥により軽くなるものといえる。
　また、引用例２の【００３６】に記載された「目皿板２５が、気体供給室８の流入口８ａが位置する流入部側から対向部側に向かって３つの区域Ｄ，Ｅ，Ｆに円弧状に区画され、流入部側の区域Ｄから区域Ｅ，Ｆと行くにしたがって通気孔２５ａの穿孔密度が大きく設定されて開口率が相違されている」及び【００３７】に記載された「流入口側が最も通気抵抗が小さくなることに着目して目皿板５の開口率をこのように異ならせている」という事項を踏まえると、引用例２技術は、通気抵抗が大きい部分から、通気抵抗が小さい部分にかけて、風量が順に少なくなるように調整されているといえる。
　そうしてみると、引用例１発明と引用例２技術とは、通気抵抗が大きい部分から、通気抵抗が小さい部分にかけて、風量が順に少なくなるように調整されているという点で共通するものであるから、引用例１に記載された「風量調節手段の数を少なくすることができ、装置の構造を簡単にすることができる」（【００２３】）という事項及び装置構成の簡素化という引用発明が当然内在する課題を踏まえ、引用発明の送風チャンバー１１０及びフィルター１０２に引用例２技術を適用して、送風チャンバー１１０を分割する第１の仕切板１１１を設けず、送風チャンバー１１０に設ける送風管１１２を一つにして、フィルター１０２の通気孔の孔径が、分割部分１１４に相当する部分で最も大きく、分割部分１１６に相当する部分で最も小さくなるように順次調節することで、上記相違点２に係る本願発明の構成とすることは、当業者が容易に想到することができたことである。
　したがって、本願発明は、引用発明及び引用例２技術に基いて、当業者が容易に発明をすることができたものである。
　３　本願発明の効果
　本願発明の効果は、引用発明及び引用例２技術に基いて、当業者が予測できる範囲を超えるものではない。
　４　小括
　上記１ないし３の検討によれば、本願発明は、引用発明及び引用例２技術に基いて当業者が容易に発明をすることができたものである。
　５　請求人の主張について
　請求人は、令和２年８月２８日付け意見書において、「まず、当業者は、引用文献１の連続的に作業する流動化装置と引用文献２の不連続的に作業する流動化装置とを互いに組み合わせないことを指摘したいと考える。」と主張している。
　しかしながら、引用発明と引用例２技術とは、“装置の位置に応じて異なる風量の気体を供給して、粒状の被乾燥物を乾燥させる流動乾燥装置”という点で、その機能において共通するものであるから、引用発明に引用例２技術を適用する動機付けが当業者にはあるものと認められる。連続的に作業するか、不連続的に作業するかという点は、引用発明の送風チャンバー１１０及びフィルター１０２に引用例２技術を適用するにあたり、特段の阻害事由とはならない。
　また、請求人は、同意見書において「当業者が両引用文献１と２を組み合わせた場合、当業者は、星形回転式乾燥機（８）に配置された隔壁（１０）と受流底面（１１）により仕切られた各処理室（１２）内で、流動層高さを均等にし、受流底面（１１）の開口部を、相応にそれぞれの処理室（１２）の半径方向の広がりに適合させることを試みることになる。従って、当業者は、受流底面内の開口部を変更し、受流底面（１１）の上に落下防止ネットを張ることになる。これに応じて、当業者は、確かに、渦流室（３）の各処理室（１２）内に均一な流動層高さを達成することはできるが、当業者は、例えば固体粒子に対する液体の噴霧のような異なる処理条件に対応するために、搬送路上で固体粒子入口ユニット（６）からの移動距離の増加と共に固体粒子を異なるように流動化することはできない。」と主張している。
　当該主張については、「各処理室（１２）内で、流動層高さを均等にし、受流底面（１１）の開口部を、相応にそれぞれの処理室（１２）の半径方向の広がりに適合させることを試みる」という点に十分な根拠を見いだせない。引用発明の送風チャンバー１１０及びフィルター１０２に引用例２技術を適用して「吸引ノズル１２４が設けられた第２の所定位置Ｙとは反対側に隣接する分割部分１１４・・・この部分の風量が最も多くなるように、風量調節装置により風量調節されて、各分割された部分は、第２の所定位置Ｙに対応する分割部分１１６の風量が最も少なくなるように、順次各分割部分１１５、１１６の風量が少くなるように調節されている」という機能と同等の機能を有する構成を実現するにあたり、「各処理室（１２）内で、流動層高さを均等にし、受流底面（１１）の開口部を、相応にそれぞれの処理室（１２）の半径方向の広がりに適合させることを試みる」必要性は認められない。
　したがって、請求人の上記主張は採用できない。
　６　まとめ
　上記１ないし５の検討によれば、本願発明は、引用発明及び引用例２技術に基いて当業者が容易に発明をすることができたものであるから、特許法第２９条第２項の規定により、特許を受けることができない。
第６　むすび
　以上のとおり、本願発明は、特許法第２９条第２項の規定により、特許を受けることができないから、他の請求項に係る発明について検討するまでもなく、本願は拒絶すべきものである。
　よって、結論のとおり審決する。